(57)【要約】  【課題】コンピュータ本体の内部空間を有効利用でき、組み立てに便利なコンピュータ筐体の提供。  【解決手段】ケース及びフレームを含み、前記ケースは側面開口部、前記側面開口部の相対する対辺に位置する前記第一枠部及び前記第二枠部を含み、前記フレームは前部、後部及び前記前部と後部の間に位置する取り付け部を含み、前記前部が回動に前記ケースの第一枠部に連結され、前記後部は前記第二枠部へ延伸され、前記取り付け部には少なくとも１つのコンピュータ周辺装置が設置でき、前記フレームが閉鎖位置へ回動されると、前記後部が前記第二枠部上に当接し、前記取り付け部が前記ケースの内部に向かい、前記フレームが開放位置へ回動されると、前記後部が前記第二枠部を離れ、前記取り付け部が前記ケースの内部から離れる。  【選択図】図１
2007323565.tif 000002
【特許請求の範囲】
【請求項１】
ケースとフレームを含み、そのうち、前記ケースは側面開口部と、第一枠部と、第二枠部とを備え、そのうち、前記第一枠部及び前記第二枠部が前記側面開口部の両側の対辺にそれぞれ位置し、前記フレームは前部と、後部と、取り付け部とを備え、前記取り付け部が前記前部と後部の間に位置し、且つ、前記前部が回動可能な方式で前記ケースの第一枠部に連結され、前記後部が前記第二枠部へ延伸され、且つ、前記取り付け部が少なくとも１つのコンピュータ周辺装置を取り付けることができ、そのうち、前記フレームが閉鎖位置へと回動されたとき、前記後部が前記第二枠部上に当接し、且つ、前記取り付け部が前記ケースの内部に収まり、前記フレームが開放位置へと回動されたとき、前記後部が前記第二枠部を離れ、且つ、前記取り付け部が前記ケースの内部から離脱することを特徴とするコンピュータ筐体。        
【請求項２】
前記第一枠部が第一枠片と連結座部を含み、前記第一枠片が内面を備え、前記内面が前記ケースの内部と対向し、前記連結座部が取り外し可能な方式で前記第一枠片の内面に結合され、且つ、前記フレームの前部と回動可能に連結されることを特徴とする請求項１に記載のコンピュータ筐体。
【請求項３】
前記フレームの前部が、第一軸孔を備えた第一突出部と、前記第一突出部から一定距離離れ、且つ、第二軸孔を備えた第二突出部とを含み、前記第二軸孔が前記第一軸孔と同軸にあり、そのうち、前記連結座部が、前記第一突出部が挿入される第一凹部と、前記第一凹部内に位置し、前記第一突出部の第一軸孔に嵌入される第一突起軸と、前記第二突出部が挿入される第二凹部と、前記第二凹部内に位置し、前記第二突出部の第二軸孔に嵌入される第二突起軸とを備えていることを特徴とする請求項２に記載のコンピュータ筐体。        
【請求項４】
前記第一枠部がさらに前記連結座部の第一凹部内に設置された当接部材を含み、前記フレームが前記開放位置に達したとき、前記フレームが前記閉鎖位置方向へ回動するのを防止することを特徴とする請求項３に記載のコンピュータ筐体。
【請求項５】
前記第一突出部が長辺と、前記長辺から接続され且つ相互に垂直な短辺と、前記短辺から接続され、前記長辺と相対する斜辺とを含み、前記フレームが前記開放位置にあるとき、前記長辺が前記ケースから外方側に向かって伸びる位置となり、前記当接部材が弾性片を備え、且つ、前記弾性片がアーチ部を有し、前記フレームが前記開放位置にあるとき、前記弾性片が圧迫されて変形し、且つ、前記第一突出部の長辺が前記アーチ部に当接し、前記フレームが前記閉鎖位置にあるとき、前記弾性片が元の形状を回復し、且つ、前記第一突出部の斜辺が前記アーチ部に当接することを特徴とする請求項４に記載のコンピュータ筐体。        
【請求項６】
前記第一突出部の長辺が切欠部を備え、前記フレームが前記開放位置にあるとき、前記切欠部が前記第一枠片に対面することを特徴とする請求項５に記載のコンピュータ筐体。
【請求項７】
前記第一凹部の大きさが、前記第一軸孔を軸方向に前記第一突起軸から離脱させるに足る大きさであり、前記第二凹部の大きさが、前記第二軸孔を軸方向に前記第二突起軸から離脱しないよう制限するに十分な大きさであり、前記第二突出部が溝部を備え、且つ、前記溝部が前記第二突出部の辺縁部から延伸され、前記第二軸孔と連通されることを特徴とする請求項５に記載のコンピュータ筐体。          
【請求項８】
前記取り付け部が２つの平行な固定片を含み、各固定片上に複数の固定孔が設けられることを特徴とする請求項１または２に記載のコンピュータ筐体。
【請求項９】
前記第二枠部が第二枠片を含み、且つ、前記第二枠片が少なくとも１つの嵌入孔を備え、前記フレームの後部に少なくとも１つの嵌合突起が設けられ、前記フレームが前記閉鎖位置にあるとき、前記嵌合突起が前記嵌入孔内に対応して嵌入されることを特徴とする請求項１または２に記載のコンピュータ筐体。        
【請求項１０】
前記第二枠部の第二枠片上にネジ孔を設け、且つ、前記フレームの後部に穿通孔を形成し、前記フレームが前記閉鎖位置にあるとき、前記穿通孔が前記ネジ孔と重なることを特徴とする請求項９に記載のコンピュータ筐体。
【発明の詳細な説明】
【技術分野】
【０００１】
本発明はコンピュータ筐体に係る技術領域に関し、特に、コンピュータ周辺装置を搭載する取り付け座体に関する。                      
【背景技術】
【０００２】
台湾特許公告第211361号の特許案において示されるコンピュータ筐体は、螺合固定板を備え、この螺合固定板が回動可能な上蓋内に固定される（特許文献１参照）。また、台湾特許公告第588922号の特許案において示されるコンピュータ筐体は、回転式取り付け部を備え、回動可能に座体上に設置される（特許文献２参照）。上述の螺合固定板または回転式取り付け部のどちらも共に取り付け座体であり、ハードディスクドライブやフロッピー（登録商標）ディスクドライブ、光ディスクドライブ、書き込み装置等のコンピュータの周辺装置を取り付けるためのものである。
【０００３】
しかしながら、上述のコンピュータ筐体は、一般に知られているように、その内部空間を十分に利用することができていない。
【０００４】
さらに、前記上蓋及び前記回転式取り付け部は取り外すことができないため、メンテナンスを行うとき、前記上蓋及び前記回転式取り付け部にうっかり接触するとそれらが元の位置へ戻ってしまい、圧迫されたり挟まれたりしてメンテナンス人員がケガをすることになりかねない。
【０００５】
また、台湾特許公告第219709号の特許案に示されるコンピュータ筐体は、支持機構を提供し、上蓋が元の位置へ戻ってしまうのを防いでいるが、この支持機構の構造は複雑であり、またその効果にも限りがある（特許文献３参照）。
【０００６】
このほか、米国特許第6330161号に示されるコンピュータ筐体は、筐体から回転させて開くことのできる電源供給器ケースを提供しており、この電源供給器ケースは前記筐体の片側に設置され、且つ支持機構を備えている。この電源供給器ケースは回転移動させてコンピュータ本体の内部を露出させることができるが、その提供する内部空間にはやはり限りがある（特許文献４参照）。
【０００７】
【特許文献１】台湾特許公告第２１１３６１号
【特許文献２】台湾特許公告第５８８９２２号
【特許文献３】台湾特許公告第２１９７０９号
【特許文献４】米国特許第６３３０１６１号明細書
【発明の開示】
【発明が解決しようとする課題】
【０００８】
本発明の主な目的は、コンピュータ本体の内部空間を有効に利用でき、且つ、組み立てに便利なコンピュータ筐体を提供することにある。        
【課題を解決するための手段】
【０００９】
具体的には、本発明のコンピュータ筐体はケース及びフレームを含み、そのうち、前記ケースは側面開口部と、第一枠部と、第二枠部とを備え、且つ、前記第一枠部及び前記第二枠部は前記側面開口部両側の対辺にそれぞれ位置する。さらに、前記フレームは前部と、後部と、取り付け部とを備え、前記取り付け部は前記前部と後部の間に位置し、且つ、前記前部は回動可能な方式で前記ケースの第一枠部に連結され、前記後部は前記第二枠部へと延伸され、前記取り付け部には少なくとも１つのコンピュータ周辺装置を取り付けることができる。前記フレームが閉鎖位置へと回動されると、前記後部が前記第二枠部上に当接し、且つ、前記取り付け部が前記ケースの内部に向かい、前記フレームが開放位置へと回動されると、前記後部が前記第二枠部を離脱し、且つ、前記取り付け部が前記ケースの内部から離れる。        
【発明の効果】
【００１０】
このように、前記フレームの設置により、前記取り付け部に取り付けたコンピュータ周辺装置を前記ケース内部から離脱させることができ、前記ケース内部の空間を完全に露出し利用することを可能にする。      
【発明を実施するための最良の形態】
【００１１】
図１に示すように、本発明の最良の実施形態のコンピュータ筐体は、ケース１及びフレーム２を含む。そのうち、前記ケース１は側面開口部１０と、第一枠部１１と、第二枠部１２とを備え、且つ、前記第一枠部１１及び前記第二枠部１２は前記側面開口部１０両側の対辺に位置する。
【００１２】
前記フレーム２は前部２０と、後部２１と、取り付け部２２とを備え、前記取り付け部２２は前記前部２０と後部２１の間に位置し、且つ、前記前部２０は回動可能な方式で前記ケース１の第一枠部１１に連結され、前記後部２１は前記第二枠部１２へと延伸される。このほか、前記取り付け部２２には少なくとも１つのコンピュータ周辺装置３を取り付けることができ、且つ、本発明のコンピュータ周辺装置３はハードディスクドライブやフロッピーディスクドライブ、光ディスクドライブ、書き込み装置等の類似の装置とすることができるが、そのうち、本発明のコンピュータ周辺装置３はハードディスクドライブとすることが最も望ましい。
【００１３】
図１に示すように、前記フレーム２が開放位置へ回動されると、前記後部２１が前記第二枠部１２を離脱し、且つ、前記取り付け部２２が前記ケース１の内部から離脱する。
【００１４】
また、図２に示すように、前記フレーム２が閉鎖位置へ回動されると、前記後部２１が前記第二枠部１２上に当接し、且つ、前記取り付け部２２が前記ケース１内部に収まる。
【００１５】
上述の先行技術と比較すると、前記フレーム２が開放位置へと回動されるとき、前記フレーム２が完全に前記ケース１の側面開口部１０を離れ、且つ、前記取り付け部２２に取り付けられた周辺装置３が前記フレーム２に伴い完全に前記ケース１内部から離脱し、前記ケース１内部の空間が完全に露出するので、ケース１内部の空間を利用することができる。このため、本発明は組み込みとメンテナンスの利便性を備えているほか、前記ケース１の高さを低くし、本体を最小化して空間の利用性を高めることができる。
【００１６】
図３に本発明の第一枠部１１の最良の実施形態を示す。前記第一枠部１１は第一枠片１３及び連結座部１４を含み、そのうち、前記第一枠片１３は内面１３０を備え、前記内面１３０は前記ケース１の内部と対向しており、且つ、前記連結座部１４は取り外し可能な方式で前記第一枠片１３の内面１３０に結合され、且つ、前記フレーム２の前部２０と回動可能に連結される。
【００１７】
このため、本発明の連結座部１４を組み合わせることにより、使用者の必要に応じて前記フレーム２を前記ケース１上に組み付けるか否かを選択することができる。
【００１８】
図３に示すように、本発明のコンピュータ筐体はさらに側面板１５を含み、前記ケース１の側面開口部１０及び前記フレーム２を覆うことができる。
【００１９】
図３及び図４に示すように、本発明のフレーム２の前部２０は、第一軸孔２０１を備えた第一突出部２００と、前記第一突出部２００から一定距離が離れ、第二軸孔２０３とを備えた第二突出部２０２を含み、且つ、前記第二軸孔２０３は前記第一軸孔２０１と同軸とする。そのうち、前記連結座部１４は前記第一突出部２００が挿入される第一凹部１４０と、前記第一凹部１４０内に位置し、前記第一突出部２００の第一軸孔２０１に嵌入される第一突起軸１４１と、前記第二突出部２０２が挿入される第二凹部１４２と、前記第二凹部１４２内に位置し、前記第二突出部２０２の第二軸孔２０３に嵌入される第二突起軸１４３とを備えている。
【００２０】
図３に示すように、前記第一枠部１１はさらに、前記連結座部１４の第一凹部１４０内に設置され、且つ、前記ケース１の第一枠部１１上に嵌入される嵌入部１６０を備えた当接部材１６を含み、そのうち、前記当接部材１６は前記フレーム２が前記開放位置に達したとき、前記フレーム２が前記閉鎖位置の方向へ回動するのを防止するために用いられる。
【００２１】
図５及び図６に示すように、前記第一突出部２００は長辺２００ａと、前記長辺２００ａに接続し且つ相互に垂直な短辺２００ｂと、前記短辺２００ｂに接続し、前記長辺２００ａと相対する斜辺２００ｃとを備える。フレーム２が前記開放位置にあるとき、図５に示すように、前記長辺２００ａが前記ケース１から外方側に向かって伸びる位置となる。このほか、前記当接部材１６は弾性片１６１を備え、且つ、前記弾性片１６１はアーチ部１６２を有する。図５に示すように、前記フレーム２が前記開放位置にあるとき、前記弾性片１６１が圧力を受けて変形し、且つ、前記第一突出部２００の長辺２００ａが前記アーチ部１６２に当接する。図６に示すように、前記フレーム２が前記閉鎖位置にあるとき、前記弾性片１６１は元の形に戻り、且つ、前記第一突出部２００の斜辺２００ｃが前記アーチ部１６２に当接する。
【００２２】
このほか、前記第一突出部２００の長辺２００ａは切欠部２００ｄを備え、前記フレーム２が前記開放位置にあるとき、前記切欠部２００ｄが前記第一枠片１３に対して隙間をあけて対向する。このため、前記第一突出部２００が回動時において前記第一枠片１３を圧迫するのを防止している。
【００２３】
このため、本発明の当接部材１６によれば、前記フレーム２が完全に開かれたとき、前記フレーム２を完全に開かれた角度上に位置決めすることができるので、前記フレーム２を揺動させたり閉じ合わせたりしたい場合には、比較的大きな力を利用し、圧迫され変形した弾性片１６１を元の形に回復させる必要がある。よって、前記フレーム２が任意に揺動するのを防ぐことができ、組み立てに便利であるだけでなく、前記フレーム２が触れられて急速に落下するのを防ぎ、組み立て人員がケガをしたり、コンピュータ周辺装置３が破損したりするのを防止することができる。
【００２４】
図４に示すように、前記第一凹部１４０の大きさまたは空間は、前記第一軸孔２０１を軸方向に前記第一突起軸１４１から離脱させるに足るものとし、前記第二凹部１４２の大きさまたは空間は、前記第二軸孔２０３が軸方向に前記第二突起軸１４３から離脱するのを制限できるに足るものとする。つまり、前記第二凹部１４２は前記第一凹部１４０より小さいものとする。このほか、図７及び図８に示すように、前記第二突出部２０２は溝部２０４を備え、且つ、前記溝部２０４は前記第二突出部２０２の辺縁部から延伸され、前記第二軸孔２０３と連通される。このため、本発明の第一凹部１４０及び第二凹部１４２の相互に対応した設計により、前記フレーム２を前記連結座部１４に組み込むとき、まず前記第一突出部２００を前記第一凹部１４０に挿入し、且つ、前記第一凹部１４０の空間を利用して前記第一軸孔２０１を前記第一突起軸１４１に嵌合させ、その後、さらに前記第二突出部２０２の溝部２０４を利用して前記第二軸孔２０３を前記第二突起軸１４３に嵌合させるだけで、前記フレーム２が前記連結座部１４に組み込まれ、回動可能となる。反対に、前記フレーム２を取り外すときは、前記溝部２０４を利用して前記第二突出部２０２の第二軸孔２０３を前記第二突起軸１４３から離脱させ、さらに前記第一突出部２００を移動して前記第一軸孔２０１を軸方向に前記第一突起軸１４１から離脱させるだけでよい。
【００２５】
上述のように、前記フレーム２と前記連結座部４間の取り外し及び組み込みは非常に簡単、便利且つ迅速に行うことができるので、別途工具や組み立て固定部材を必要としない。
【００２６】
図１、図３、及び図４に示すように、本発明の取り付け部２２は２つの平行な固定片２２０を含み、且つ、各固定片２２０上には複数の固定孔２２１が設けられる。これにより、前記コンピュータ周辺装置３は前記固定片２２０及び前記固定孔２２１の設置に加え、ネジを利用することで、前記取り付け部２２に螺合して固定することができる。このため、前記コンピュータ周辺装置３は前記フレーム２を利用し、前記ケース１の内部に掛止されると共に、回転させて前記ケース１内部から離脱させることが可能である。よって、従来のように前記ケース１内部に固定するための不必要な空間を省くことができる。
【００２７】
図１及び図９に示すように、本発明の第二枠部１２は第二枠片１２０を含み、また、前記第二枠片１２０は少なくとも１つの嵌入孔１２１を備えている。さらに前記フレーム２の後部２１には、前記嵌入孔１２１に対応し、フレーム２が閉鎖位置にあるときにはその中に嵌入される少なくとも１つの嵌合突起２１０が設けられる。そして、前記第二枠部１２の第二枠片１２０上にネジ孔１２２と、前記フレーム２の後部２１にネジ孔１２２に対応する穿通孔２１１とが設けられる。このため、前記フレーム２が前記閉鎖位置にあるとき、前記穿通孔２１１が前記ネジ孔１２２に重なるので、ネジで前記フレーム２を前記第二枠部１２に固定することができる。。
【００２８】
上述のように、本発明はコンピュータ本体内部の空間を有効に利用することができ、より多くの周辺設備を組みこむことが可能となるので、前記本体の機能を大幅に向上することができる。また、本発明の回動可能なフレームを利用することにより、組み立て人員はより大きな空間を利用して本体内部の部材の組み込みまたは取り外しを行うことができる。本発明の当接部材によれば、前記フレームを開いたとき、または閉じたときに優れた支持と緩衝効果が得られるため、装置と人員を保護することができる。このほか、本発明は簡易的な組み立て構造であり、不必要な部材及び組み立て・取り外し用の工具を省くことができる。
【図面の簡単な説明】
【００２９】
【図１】本発明のフレームを開いた状態を示す立体斜視図である。
【図２】本発明のフレームを閉じた状態を示す立体斜視図である。
【図３】本発明の立体分解図である。
【図４】本発明の部分拡大図である。
【図５】本発明のフレームを閉じたときの当接部材の状態を示す側面図である。
【図６】本発明のフレームを開いたときの当接部材の状態を示す側面図である。
【図７】本発明の第二突出部と第二突起軸の組み立て前の状態を示す側面図である。
【図８】本発明の第二突出部と第二突起軸の組み立て後の状態を示す側面図である。
【図９】本発明のフレーム後部と第二枠部の組み立て動作を示す断面図である。
【符号の説明】
【００３０】
１        ケース
１０      側面開口部
１１      第一枠部
１２      第二枠部
１２０    第二枠片
１２１    嵌入孔
１２２    ネジ孔
１３      第一枠片
１３０    内面
１４      連結座部
１４０    第一凹部
１４１    第一突起軸
１４２    第二凹部
１４３    第二突起軸
１５      側面板
１６      当接部材
１６０    嵌入部
１６１    弾性片
１６２    アーチ部
２        フレーム
２０      前部
２００    第一突出部
２００ａ  長辺  
２００ｂ  短辺
２００ｃ  斜辺
２００ｄ  切欠部
２０１    第一軸孔
２０２    第二突出部
２０３    第二軸孔
２１      後部
２１０    嵌合突起
２２      取り付け部
２２０    固定片
２２１    固定孔
３        周辺装置
【図１】
2007323565.tif 000003
【図２】
2007323565.tif 000004
【図３】
2007323565.tif 000005
【図４】
2007323565.tif 000006
【図５】
2007323565.tif 000007
【図６】
2007323565.tif 000008
【図７】
2007323565.tif 000009
【図８】
2007323565.tif 000010
【図９】
2007323565.tif 000011